(57)【要約】      （修正有）【課題】車内温度上昇による不快な経験の防止対策のための車上常備設備には盗難憂慮問題が窺われるため、自動収納容易機器を用いて、小型化し常に携帯車載を図ることのできる日除け装置を提供する。【解決手段】直射日光を遮断する網織布がドラムに内蔵された、自動巻き取り収納ができる日除け装置であって、前記ドラムはドラム長径ＡＢを磁石吸引することにより一体型となり、ドラム分離で二分化し縮小する。さらに、ドラムＡＢ裏に設置した磁石Ｅの吸引により固定することで携帯や車載が可能となる。前記ドラムは野外用テントに転用することもできる。【選択図】図２
2019059379.tif 000002
【特許請求の範囲】
【請求項１】
直射日光を遮断する網織布は車全体を覆いドラムに内蔵される自動巻き取り収納ができる装置であって、前記ドラムは磁石薄利によりそれぞれが二分化し、磁石吸引はドラムが一本化となる、前記内部芯は、凸凹＋形磁石を用いて布を巻き取り、更に布真ん中に配列した磁石吸引により二枚を一枚として空間を補い、布磁石分離は縮小の補助をする、前記ドラムは、屋内外窓や野外用テントにも応用でき、クリップ止めによる、布引き伸ばしや、固定止めができる、前記ドラム内外に磁石活用を図った特徴を有する日除け装置。
【発明の詳細な説明】
【技術分野】
【０００１】
本発明は野外駐車による直射日光による車内温度上昇防止及び車の劣化防止と冬期の車窓の霜等の防止と野外テント応用装置に関する。      
【背景技術】
【０００２】
従来発表の日除け装置は、郊外駐車により、直視日光による車内外劣化と温度上昇による不快な経験課題による防止対策によるものであるが、車上使用機器設備の使用前後の収納時に機器その物が長く車内に収納できない、持ち運びに不便な問題課題があると考察する、更に車上常設は盗難憂慮の課題が有り、その解決を図るとともに野外用テントとしての運用を図る。
【先行技術文献】
【特許文献】
【０００３】
【特許文献１】特開平８−４００８２号公報
【特許文献２】登録実用３１４０１７０号公報
【特許文献３】実開平８−１００４号公報
【特許文献４】特開２０１４−１００７４３号公報
【発明の概要】
【発明が解決しようとする課題】
【０００４】
夏季炎天下に於ける車内温度上昇防止の日除け装置の扱いによる、遠出に於ける長期滞在或いは長期郊外駐車は、日除け装置収納の不便利を解消する装置であり、持ち運びや収納容易を追求し更に野外テントとしての応用化利用を目指すものである。
【０００５】
車上用日除け装置取り扱いによる（長径)に視点を当て改良等の工夫改善を行う。
【課題を解決するための手段】
【０００６】
夏季炎天下の直射日光遮断用布は、ドラム内蔵の編み目織り合成繊維加工素材で形成された布（網目）であり風通しに適し強風時に緩和される、ドラム内蔵の芯が布を巻き芯に連動する巻きバネによる自動巻き取り収納できる機器で構成された機器を車上に用いて車内の温度上昇や車の劣化を防止し収納容易を図るとともに屋内外の窓や野外用テントとしての転用も図る。
【０００７】
日除け装置長径筒ドラム図２や図１０は、常に分離している図５（1/2）分離縮小化されているドラム筒に設置してある図１０示すＥ磁石を薄利し、図４のＧの鉄とＥ−１吸引し一本化する図２や図１０に示すドラムを車上に使用し、使用後は元に戻し収納する、日除け使用後の収納時は長径のドラム図１０の内部図６Ｅ−３に示す磁石吸引は一体化する構成により薄利は、縮小化を図るものであり、図５に示す二分化になり、車内のトランクや後部座席にも収納が容易であるので持ち運びに適し盗難防止になる。
【０００８】
日光遮断時は一枚の布として使用するが、図２に示す布分離状態、図６網織り布中芯が両サイドに分かれている状態を補うために磁石吸引を活用する方法に、サマリムやネオジム磁石を配列し吸引を応用することにより、分離薄利できる、＜磁石の特徴は＋−Ｎ極Ｓ極＞反発力及び吸引力の効果を得るために丸形で方向位置を変えることができる工夫を成し、その他の角形は誤差を生じるため〇形球により方向吸引特性を活かし吸引と分離利の補助をする。
【発明の効果】
【０００９】
夏季炎天下の郊外駐車時の直射日光を遮断することにより、温度上昇や車内外劣化を防止する効果があり、磁石を活用することにより、取り付け取り外しが容易であり自動巻き取り収納ができる要素を加え、取り扱いによる難度にドラム筒を軽量化のアルミ、塩化ビニ−ル、硬化プラスチック等の素材を使用し、遮断布は合成繊維素材による軽量化素材を使用することは扱いが容易で有り、且つ磁石活用により作業工程の短縮化になり、縮小化は携帯と車載、車のトランクや後部座席に収納できるので、いつでも何処でも任意に野外駐車時に使用し温度上昇防止や冬季に車窓の霜、等の凍結防止解消の効果が発揮できることや更に屋内外の窓や野外用テントとしての応用使用の複数の効果が得られる。
・  磁石吸引は日光遮断空間面積を補佐す。
・  収納は盗難憂慮の解消。
・  自動巻き取り収納は作業工程の短縮化。
・  遮断効果は、車の車内温度上昇抑制と劣化防止をする。
・  ドラムを用いて屋内窓やテントの運用化を図る。
・  前記構成による特徴を成す。
【図面の簡単な説明】
【００１０】
【図１】本発明の実施形態を示す日除け装置設置完成側面図
【図２】Ａ、Ｂ、ドラム内蔵網織り布平面図
【図３】Ｋクリップ平面図
【図４】ＡＢドラム側面図
【図５】ドラム分離化平面図
【図６】Ｃ  切り込み布磁石配置平面図
【図７】Ｅ−３磁石穴空き〇形球磁石配置平面図
【図８】Ｅ−４布切り込み磁石配置平面図
【図９】Ｅ−２凸凹形磁石配置ドラム芯平面図
【図１０】Ｅドラム左右磁石配置平面図
【図１１】テント、パイプ組み立て全体図側面図
【図１２】テント出入口側面図
【図１３】パイプＴ字形交差受け軸側面図
【図１４】パイプ３交差受け軸側面図
【図１５】パイプ２偏角交差平面図
【図１６】パイプ２交差受け軸平面図
【図１７】ドラム固定金具平面図
【図１８】パイプ補強固定受け軸平面図
【図１９】パイプ補強アンカ−平面図
【発明を実施するための形態】
【００１１】
本発明の実施の形態の詳細を図１より図１８に基づいて説明する。
実施例１
【００１２】
図１は車上使用日除け機器設置完成図である。
実施例２
【００１３】
機器設置は、図５に示す縮小化されたＡやＢドラム二分化を図１０Ｅ磁石薄利し図４のＧ鉄と図４のＥ−１吸引し一本のドラムとし、図１０のＥ裏面両サイドに設備した磁石を車後部に吸引固定し、図１に示すように設置し図２に示すドラム内部にロールされた網織り布Ｃをそれぞれ誘因引き出し図３によるクリップ止め固定し、普段使っている（書類留め用と同等を）使用し引き伸ばし車前部にＦフックで固定し図１のＤに示す補助支えを車上に付け空間を空け図１のように設置完成する。
実施例３
【００１４】
磁石吸引活用例１
ドラムＡやＢそれぞれ内部布巻き取り芯に連動する図９に示すＥ−２中央部は分離する真ん中の芯は、凸や凹みによる十字形状は（巻き取り固定やドラムのぐらつき）安定を目的とし、その部位に磁石を配し、磁石は、吸引や薄利が可能で有り、車上使用時や使用後の簡易さを追求したことによる。
実施例４
【００１５】
磁石分離活用例２
遮断布の分離薄利は、図２に示すＡやＢのドラム内蔵の布両サイド図６に示すＣ布中央部に（コ形切り込みを施し）図６のＥ−３に示す（球真ん中穴空き）、図７に示す〇形球の真ん中に、それぞれ芯糸により磁石を配列し、吸引や分離の補助をする磁石であり、ＡやＢ左右のドラム内蔵の布がそれぞれ単体で独立しているために車上に設置した場合は、中心部に空間が生じる故に（帯状日射、こぼれ日）を補う目的と、一枚の用途として磁石吸引を活用し、空間を補い、分離薄利は、縮小（1/2）の補助をするために磁石を活用し配置した。
実施例５
【００１６】
磁石活用例３
磁石吸引の特質は＜Ｎ極Ｓ極＋−＞一方向に吸引する性質が有り吸引を効果的に引き出すには＜磁石の方向が＞重要で有り動く回る動作を促進する為に丸形を選定し、球の真ん中に穴空を造りそれに通し糸状で連結し図６や図７に示すＥ−３磁石が＜動く、回る、＞吸引力を高めこれを活用する、＜他の角形状は布巻き取り時に誤作動を生じる＞又他の方法に一方を（鉄）の応用も可能である。
実施例６
【００１７】
磁石活用例４
図２のＡＢドラム内蔵の真ん中の左右図８Ｃに示す中心部に数センチ幅に切り込みを入れることにより、その部分が移動し吸引する、図６矢印方向に引く、スライドすることにより図６のＧよりＥ−４に磁石吸引が容易である、（強力ネオジムやサマリム粉末）磁石を散布し、他方は鉄粉を散布固定し吸引する（こぼれ日）空間を補う完全なる日除けとなり、粉末散布は、製造過程の簡素化となり安価供給が可能となる。
【００１８】
磁石活用例５
上記磁石活用に、（糸状直径数ミリ）単体糸状を布真ん中左右に配し一方を磁気粉末を散布固定し他方に鉄粉を配した吸引使用方法は、同じく製造過程の簡素化となり安価供給が可能となる。
【００１９】
ドラム布収納は、ドラム内部の布引き出し及び収納時の構成は、図２ＡやＢドラム両サイドに巻きバネを配し、ドラム内蔵の芯に連結した芯がバネを巻き引っ張ることにより其の反動により巻かれた布が巻き戻される原理である。
実施例８
【００２０】
ドラム筒長径の縮小化は、図４のドラムＡＢの真ん中設置のＧやＥ−４磁石薄利をすることにより、それぞれが分離し二分化し縮小化する。
実施例９
【００２１】
ドラム内布の寸法は、図２ドラムＡやＢは、車載幅寸法を各車種により予め限定（ドラム寸法、及び内包の布寸法限定）等は、使用者が任意にこれらを選定し使用する。
実施例１０
【００２２】
ドラム内布の素材は、車上に設置する機器ドラム内部収納図２に示すＡやＢ網織り布は、合成繊維加工の素材やメッシュその他の素材で構成する繊維であり非常に軽い特徴を成し更に撥水加工をしてあるので使用者任意により、雨や冬季の霜にも適用出来る、車上設置やテント使用時の強風による＜ばたつき＞はこれらの網目素材により緩和される。
実施例１１
【００２３】
クリップの活用は、図２に示す網織り布内包のドラムＡやＢは、それぞれが単体で構成されている為に、網織布を図３に示す補助クリップで止め固定し一緒に引き出しや、個別の引き出しや、個別に収納することもできるクリプ活用による作業行程の短縮化を図るものである。
実施例１２
【００２４】
ドラム機器の一本化は、ドラムＡＢの図４のＧをＥ−１に吸引固定することにより一本化になり、又、反対動作により縮小化する、縮小化は、携帯持ち運びに適し（別途専用ケ−ス用意）車のトランクやその他に収納容易であり盗難防止になり、屋内外の窓枠付近上に鉄板固定すると、ドラムは窓に転用でき、更に野外用テントとしての転用も図れる。
【００２５】
実施例１３
図１１は、テント設置完成（イメ−ジ）全体図である。
【００２６】
実施例１４
テント使用は、ドラム以外のテント用規格品とし、横布やパイプの長さ１ｍ未満を受け軸により、つなぎ図表、図１１より図１９に基づき、テント用設備として説明書及び限定的寸法表示を示す（車種の高さ×横幅×奥行き寸法限定、ドラム内蔵布はテント奥行きに比例する）寸法による、設備を使用者任意により、（車種によりそのテントの大きさが若干同調する）を選定できる。
【００２７】
実施例１５
テント設置例１
テント用骨組みパイプを説明書に基づき図１１、図１２、図１３図１４図１６図１７、受け軸にＭ−９固定ネジにより固定し組み立て図１１に示すように設置し完成させる。
テント設置例２
ドラムを図１１に示すＭ−８位置に設置する図１６のＭ−１０金具とＭ−９ネジで固定し設置する図１２に示すドラムＡやＢ、それぞれを、単体にて引き出し（高さによる難度）誘引が効果的であり配置し布端はＫクリップ止めし固定する。
テント設置例３
テント固定は、それぞれの交差部分に間隔をあけ、クリップ止めを行い図１１に示すように設置し完成させる。
テント設置例４
テント出入り口は図１１に示すＭ−６板状磁石吸引薄利により開閉が可能である。
テント設置例５
テント設置完成後に、天候急変、突然の雨や強風時には、テント上、中心部に（く形帯状常設）を磁石吸引し補強する又他方図１８に示すＭ−３アンカ−を打ち込み図１１に示す〇ＲＭ−５パイプに固定しテントの補強を行う。
【００２８】
車上日除けとして使用し、更にレジャ−用としてのテント転用使用素材は、（合成繊維加工メッシュ織り)風通しに適し快適な空間を得ることができる。
夏季炎天下直射日光に晒された車内外は高温により不快な経験に基づくもので有り、
夏季直視日光による車内温度上昇や、車内外劣化防止にドラム筒型による長径は、使用設置は易く、＜収納に不便利と常設設置は盗難憂慮＞の問題課題が有り、それを克服すべき手立てに視点を当て、縮小化（1/2）収納できる便利さを追求した車載用日除けであるとともに屋内外の窓に使用し野外テント転用化はより多くの利用価値が望める。
【符号の説明】
【００２９】
Ａ、Ｂ、ドラム
Ｃ網織り布
Ｅ磁石
Ｅ−１磁石
Ｅ−２凸凹十形磁石
Ｅ−３〇形球穴空き磁石
Ｅ−４帯状磁石
Ｆフック
Ｇ鉄板
Ｋクリップ
Ｍ−１Ｔ形パイプ交差受け軸
Ｍ−２Ｔ形偏差角パイプ交差受け軸
Ｍ−３偏差角受け軸
Ｍ−４パイプ継ぎ手受け軸
Ｍ−５パイプ。
Ｍ−６帯状磁石吸引出入り口
Ｍ−７パイプ補強継ぎ手
Ｍ−８ドラム固定位置
Ｍ−９固定金具ネジ
Ｍ−１０ドラム固定金具
Ｍ−１１アンカ−
【図１】
2019059379.tif 000003
【図２】
2019059379.tif 000004
【図３】
2019059379.tif 000005
【図４】
2019059379.tif 000006
【図５】
2019059379.tif 000007
【図６】
2019059379.tif 000008
【図７】
2019059379.tif 000009
【図８】
2019059379.tif 000010
【図９】
2019059379.tif 000011
【図１０】
2019059379.tif 000012
【図１１】
2019059379.tif 000013
【図１２】
2019059379.tif 000014
【図１３】
2019059379.tif 000015
【図１４】
2019059379.tif 000016
【図１５】
2019059379.tif 000017
【図１６】
2019059379.tif 000018
【図１７】
2019059379.tif 000019
【図１８】
2019059379.tif 000020
【図１９】
2019059379.tif 000021
【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
直射日光を遮断する布は、ドラムに内蔵された網織布であり、自動巻き取り収納ができる装置であって、前記ドラムは単体筒状から成り常に二分離縮小化されている、ドラム使用には左右を結合し一本のドラムとして使用すると共にドラム結合にはドラム間には空間が生じるため、網織布左右にコ形切り欠き部を設け、該切り欠き部に糸で連結した動く球体磁石を配置し吸引合体する形状、あるいは網織布左右に磁石粉末と鉄粉末をそれぞれに散布して固定することにより吸引合体できる形状とすることにより磁石吸引により二枚の網織布が一枚の如く空間を補うよう構成すると共に布先端部にはクリップ止めを取付けて一体的あるいは別体での引き出しができるようなし、車や野外用テントとして応用できる構成としたことを特徴とする日除け装置。
【手続補正２】
【補正対象書類名】明細書
【補正対象項目名】全文
【補正方法】変更
【補正の内容】
【発明の詳細な説明】
【技術分野】
【０００１】
本発明は野外駐車による直射日光による車内温度上昇防止及び車の劣化防止と冬期の車窓の霜等の防止と野外テント応用装置に関する。      
【背景技術】
【０００２】
従来発表の日除け装置は、郊外駐車により、直視日光による車内外劣化と温度上昇による不快な経験課題による防止対策によるものであるが、車上使用機器設備の使用前後の収納時に機器その物が長く車内に収納できない、持ち運びに不便な問題課題があると考察する、更に車上常設は盗難憂慮の課題が有り、その解決を図るとともに野外用テントとしての運用を図る。
【先行技術文献】
【特許文献】
【０００３】
【特許文献１】特開平８−４００８２号公報
【特許文献２】登録実用３１４０１７０号公報
【特許文献３】実開平８−１００４号公報
【発明の概要】
【発明が解決しようとする課題】
【０００４】
夏季炎天下に於ける車内温度上昇防止の日除け装置の扱いによる、遠出に於ける長期滞在或いは長期郊外駐車は、日除け装置収納の不便利を解消する装置であり、持ち運びや収納容易を追求し更に野外テントとしての応用化利用を目指すものである。
【０００５】
車上用日除け装置取り扱いによる（長径)に視点を当て改良等の工夫改善を行う。
【課題を解決するための手段】
【０００６】
夏季炎天下の直射日光遮断用布は、ドラム内蔵の編み目織り合成繊維加工素材で形成された布（網目）であり風通しに適し強風時に緩和される、ドラム内蔵の芯が布を巻き芯に連動する巻きバネによる自動巻き取り収納できる機器で構成された機器を車上に用いて車内の温度上昇や車の劣化を防止し収納容易を図るとともに屋内外の窓や野外用テントとしての転用も図る。
【０００７】
日除け装置ドラムは、図５に示すＥ磁石を分離し、図４に示すＧ鉄やＥ−１磁石の接点を結合することにより一本に変化し二倍の効果をえることができる、ドラム布の引き出しは適宜にドラム片方のみも使用できることに加え、ドラムは常に二分離し縮小化にあるため携帯や車載の持ち運びに適し盗難防止になる。
【０００８】
ドラム機器使用は、一本化と成し車や野外のテントとして使用する、ドラム一本化使用時に図２に示すドラム内蔵布左右に隙間が生じる為に図６に示す布切り込欠きに丸球穴空きに糸を通し動く動作を求めたものである、図７に示すＥ−３丸球穴開き磁石活用はＳ極とＮ極とに分かれ、その磁石吸引は方向により反発する故に、動く回る要素が必要不可欠となり上記の構成を成す、そうすることにより好ましく吸着力する、図８に示す左右の布先端を図３に示すクリップ止めにより一体的に引き出しは、布双方が吸着し、作業容易が図れる為、完全なる日除けとしての効用を図れる。
【発明の効果】
【０００９】
夏季炎天下の郊外駐車時の直射日光を遮断することにより、温度上昇や車内外劣化を防止する効果があり、磁石を活用することにより、取り付け取り外しが容易であり自動巻き取り収納ができる要素を加え、取り扱いによる難度にドラム筒を軽量化のアルミ、塩化ビニ−ル、硬化プラスチック等の素材を使用し、遮断布は合成繊維素材による軽量化素材を使用することは扱いが容易で有り、且つ磁石活用により作業工程の短縮化になり、縮小化は携帯と車載、車のトランクや後部座席に収納できるので、いつでも何処でも任意に野外駐車時に使用し温度上昇防止や冬季に車窓の霜、等の凍結防止解消の効果が発揮できることや更に屋内外の窓や野外用テントとしての応用使用の複数の効果が得られる。
・  磁石吸引は日光遮断空間面積を補佐する
・  収納は盗難憂慮の解消
・  自動巻き取り収納は作業工程の短縮化
・  遮断効果は、車の車内温度上昇抑制と劣化防止をする
・  ドラムを用いて屋内窓やテントの運用化を図る
・  前記構成による特徴を成す
【図面の簡単な説明】
【００１０】
【図１】本発明の実施形態を示す日除け装置設置完成側面図
【図２】Ａ、Ｂ、ドラム内蔵網織り布平面図
【図３】Ｋクリップ平面図
【図４】ＡＢドラム側面図
【図５】ドラム分離化平面図
【図６】Ｃ  切り込み布磁石配置平面図
【図７】Ｅ−３磁石穴空き丸形球磁石配置平面図
【図８】Ｅ−４布切り込み磁石配置平面図
【図９】Ｅ−２磁石側面図
【図１０】Ｅドラム左右磁石配置平面図
【図１１】テント、パイプ組み立て全体図側面図
【図１２】テント出入口側面図
【図１３】パイプＴ字形交差受け軸側面図
【図１４】パイプ３交差受け軸側面図
【図１５】パイプ２偏角交差平面図
【図１６】パイプ２交差受け軸平面図
【図１７】ドラム固定金具平面図
【図１８】パイプ補強固定受け軸平面図
【図１９】パイプ補強アンカ−平面図
【発明を実施するための形態】
【００１１】
本発明の実施の形態の詳細を図１より図１９に基づいて説明する。
【００１２】
実施例１
図１は車上使用日除け機器設置完成図である。
【００１３】
実施例２
ドラム使用は、図５に示すドラムＡＢは常に二分離縮小化されているため、図５に示すＥ磁石を分離し図４に示すＧ鉄とＥ−１磁石接点を吸引固定し一本のドラムとして使用する、そうすることにより二倍の空間を遮断する効果が生まれる。
ドラム車上設置は、図２に示すドラム内蔵布左右を引出し図３に示すＫクリップ止めをすることにより一体的に引き出しが図れ、一方のみも可能である、布先を車前後に吸引固定する、または図２に示すＦフックで固定することもできる、図１に示す補助支えは任意による、補助支えをすると、空間の風通しが好ましく効果が得られるため図１のように完成させることもできるが、強風時のばたつきには使用は適当ではない。
【００１４】
実施例３
磁石吸引活用例１
従来の磁石に比べ、格段の吸引力がある（ネオジム、サブマリン）は退席が小さくても、種々の用途に適していることを鑑み、異なる形状使用に図８に示す切り込布にＧ鉄とＥ−４磁石、図８視右〇丸窓に示すＧ鉄とＥ−２磁石紐状布等それぞれに鉄粉末や磁石粉末を散布固定形状の採用は周知技術を求め縮小化による収納や作業の簡素化とコスト安価を追求したものである。
【００１５】
実施例４
磁石分離活用例２
磁石の活用は、ドラム筒左右端に図５に示す視右〇丸窓歯車の機構構造設置により隙間が生じるため左右布真ん中にそれぞれ磁石粉末や鉄粉末を配するものや、図６に示すコ形布Ｃ切り欠きＥ−３磁石と磁石とにより分離や吸引が容易であり作業の短縮化となし、図４に示すドラムの長径を図５に示すに分離縮小化は、携帯や車載が容易である。鉄や磁石により吸引する方法により一体化に成し完全なる遮断布とする為に活用する。
【００１６】
実施例５
磁石活用例３
磁石吸引の特質は＜Ｎ極Ｓ極＋−＞一方向に吸引する性質が有り吸引を効果的に引き出すには＜磁石の方向が＞重要で有り動く回る動作を促進する為に丸形を選定し、球の真ん中に穴空を造りそれに通し糸状で連結し図６や図７に示すＥ−３磁石が＜動く、回る、＞吸引力を高めこれを活用する、＜他の角形状は布巻き取り時に誤作動を生じる＞又他の方法に一方を（鉄）の応用も可能である。
【００１７】
実施例６
磁石活用例４
前記、仕様ドラム二分離化は縮小化と成し、携帯車載が容易であり、内蔵布の磁石吸引は二倍の日光遮断効果と隙間をカバーし、クリップ止めは、一体的引き出しが図れ、作業の短縮化を図る。
【００１８】
実施例７
磁石活用例５
上記磁石活用に、（糸状直径数ミリ）単体糸状を布真ん中左右に配し一方を磁気粉末を散布固定し他方に鉄粉を配した吸引使用方法は、同じく製造過程の簡素化となり安価供給が可能となる。
【００１９】
実施例８
ドラム布収納は、ドラム内部の布引き出し及び収納時の構成は、図２ＡやＢドラム両サイドに巻きバネを配し、ドラム内蔵の芯に連結した芯がバネを巻き引っ張ることにより其の反動により巻かれた布が巻き戻される原理である。
【００２０】
実施例９
ドラム筒長径の縮小化は、図４に示すＧ鉄やＥ−１磁石を分離することにより、図５に示す二分離化になる。
【００２１】
実施例１０
ドラム内布の寸法は、図２ドラムＡやＢは、車載幅寸法を各車種により予め限定（ドラム寸法、及び内包の布寸法限定）等は、使用者が任意にこれらを選定し使用する。
【００２２】
実施例１１
ドラム内布の素材は、車上に設置する機器ドラム内部収納図２に示すＡやＢ網織り布は、合成繊維加工の素材やメッシュその他の素材で構成する繊維であり非常に軽い特徴を成し更に撥水加工をしてあるので使用者任意により、雨や冬季の霜にも適用出来る、車上設置やテント使用時の強風による＜ばたつき＞はこれらの網目素材により緩和される。
【００２３】
実施例１２
クリップの活用は、図２に示す網織り布内包のドラムＡやＢは、それぞれが単体で構成されている為に、網織布を図３に示す補助クリップで止め固定し一緒に引き出しや、個別の引き出しや、個別に収納することもできるクリプ活用による作業行程の短縮化を図るものである。
【００２４】
実施例１３
ドラム機器の一本化は、ドラムＡＢの図４のＧをＥ−１に吸引固定することにより一本化になり、又、反対動作により縮小化する、縮小化は、携帯持ち運びに適し（別途専用ケ−ス用意）車のトランクやその他に収納容易であり盗難防止になり、屋内外の窓枠付近上に鉄板固定すると、ドラムは窓に転用でき、更に野外用テントとしての転用も図れる。
【００２５】
実施例１４
図１１は、テント設置完成（イメ−ジ）全体図である。
【００２６】
実施例１５
テント使用は、ドラム以外のテント用規格品とし、横布やパイプの長さ１ｍ未満を受け軸により、つなぎ図表、図１１より図１９に基づき、テント用設備として説明書及び限定的寸法表示を示す（車種の高さ×横幅×奥行き寸法限定、ドラム内蔵布はテント奥行きに比例する）寸法による、設備を使用者任意により、（車種によりそのテントの大きさが若干同調する）を選定できる。
【００２７】
実施例１６
テント設置例１
テント用骨組みパイプを説明書に基づき図１１、図１２、図１３図１４図１６図１７、受け軸にＭ−９固定ネジにより固定し組み立て図１１に示すように設置し完成させる。
テント設置例２
テント設置に、図４のドラムＡＢを図１７に示す固定金具を図１１に示すＭ−１０に設置し図１７に示すＭ−９ネジにより固定し設置する。ドラム内蔵布引き出しに（高さによる難度）に図１２に示す布Ｃを個別に引き出しが図れることが作業容易になり適宜に応用できる。テント設置に於けるクリップ止めは図３に示す小型クリップＫ常設により作業容易の簡潔化となる。
テント設置例３
テント固定は、それぞれの交差部分に間隔をあけ、クリップ止めを行い図１１に示すように設置し完成させる。
テント設置例４
テント出入り口は図１１に示すＭ−６は左右帯状に配列した弱磁石と鉄により吸引しているため分離剥離は容易に開閉出入りができる。
テント設置例５
テント設置完成後に、天候急変、突然の雨や強風時には、テント左右、図１８に示すＭ−４にて補強する又他方図１９に示すＭ−１１アンカ−をパイプ横、図１１に打ち込み固定し補強する。
【００２８】
車上日除けとして使用し、更にレジャ−用としてのテント転用使用素材は、（合成繊維加工メッシュ織り)風通しに適し快適な空間を得ることができる。
夏季炎天下直射日光に晒された車内外は高温により不快な経験に基づくもので有り、
夏季直視日光による車内温度上昇や、車内外劣化防止にドラム筒型による長径は、使用設置は易く、＜収納に不便利と常設設置は盗難憂慮＞の問題課題が有り、それを克服すべき手立てに視点を当て、縮小化（1/2）収納できる便利さを追求した車載用日除けであるとともに屋内外の窓に使用し野外テント転用化はより多くの利用価値が望める。
【符号の説明】
【００２９】
Ａ、Ｂ、ドラム
Ｃ網織り布
Ｅ磁石
Ｅ−１磁石
Ｅ−２磁石
Ｅ−３〇形球穴空き磁石
Ｅ−４帯状磁石
Ｆフック
Ｇ鉄板
Ｋクリップ
Ｍ−１Ｔ形パイプ交差受け軸
Ｍ−２Ｔ形偏差角パイプ交差受け軸
Ｍ−３偏差角受け軸
Ｍ−４パイプ継ぎ手受け軸
Ｍ−５パイプ。
Ｍ−６帯状磁石吸引出入り口
Ｍ−７パイプ補強継ぎ手
Ｍ−８ドラム固定位置
Ｍ−９固定金具ネジ
Ｍ−１０ドラム固定金具
Ｍ−１１アンカ−
【手続補正４】
【補正対象書類名】図面
【補正対象項目名】図２
【補正方法】変更
【補正の内容】
【図２】
2019059379.tif 000022
【手続補正５】
【補正対象書類名】図面
【補正対象項目名】図５
【補正方法】変更
【補正の内容】
【図５】
2019059379.tif 000023
【手続補正６】
【補正対象書類名】図面
【補正対象項目名】図８
【補正方法】変更
【補正の内容】
【図８】
2019059379.tif 000024
【手続補正７】
【補正対象書類名】図面
【補正対象項目名】図１１
【補正方法】変更
【補正の内容】
【図１１】
2019059379.tif 000025
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
網織布がドラムに内蔵された自動巻き取収納可能な日除け装置であって、前記ドラムは、筒状かつ二つに分離可能であり、前記網織布の左右にコ形切り欠き部を設け、該切り欠き部に糸で連結した球体磁石を配置し、前記網織布の先端部にクリップ止めを取り付け、一体あるいは別体で引き出し可能としたことを特徴とする日除け装置。
【手続補正２】
【補正対象書類名】明細書
【補正対象項目名】全文
【補正方法】変更
【補正の内容】
【発明の詳細な説明】
【技術分野】
【０００１】
本発明は野外駐車による直射日光による車内温度上昇防止及び車の劣化防止と冬期の車窓の霜等の防止と野外テント応用装置に関する。      
【背景技術】
【０００２】
従来発表の日除け装置は、郊外駐車により、直視日光による車内外劣化と温度上昇による不快な経験課題による防止対策によるものであるが、車上使用機器設備の使用前後の収納時に機器その物が長く車内に収納できない、持ち運びに不便な問題課題があると考察する、更に車上常設は盗難憂慮の課題が有り、その解決を図るとともに野外用テントとしての運用を図る。
【先行技術文献】
【特許文献】
【０００３】
【特許文献１】特開平８−４００８２号公報
【特許文献２】登録実用３１４０１７０号公報
【特許文献３】実開平８−１００４号公報
【特許文献４】特開２０１４−１００７４３号公報
【発明の概要】
【発明が解決しようとする課題】
【０００４】
夏季炎天下に於ける車内温度上昇防止の日除け装置の扱いによる、遠出に於ける長期滞在或いは長期郊外駐車は、日除け装置収納の不便利を解消する装置であり、持ち運びや収納容易を追求し更に野外テントとしての応用化利用を目指すものである。
【０００５】
車上用日除け装置取り扱いによる（長径)に視点を当て改良等の工夫改善を行う。
【課題を解決するための手段】
【０００６】
夏季炎天下の直射日光遮断用布は、ドラム内蔵の編み目織り合成繊維加工素材で形成された布（網目）であり風通しに適し強風時に緩和される、ドラム内蔵の芯が布を巻き芯に連動する巻きバネによる自動巻き取り収納できる機器で構成された機器を車上に用いて車内の温度上昇や車の劣化を防止し収納容易を図るとともに屋内外の窓や野外用テントとしての転用も図る。
【０００７】
日除け装置長径筒ドラム図２や図１０は、常に分離している図５（1/2）分離縮小化されているドラム筒に設置してある図１０示すＥ磁石を薄利し、図４のＧの鉄とＥ−１吸引し一本化する図２や図１０に示すドラムを車上に使用し、使用後は元に戻し収納する、日除け使用後の収納時は長径のドラム図１０の内部図６Ｅ−３に示す磁石吸引は一体化する構成により薄利は、縮小化を図るものであり、図５に示す二分化になり、車内のトランクや後部座席にも収納が容易であるので持ち運びに適し盗難防止になる。
【０００８】
日光遮断時は一枚の布として使用するが、図２に示す布分離状態、図６網織り布中芯が両サイドに分かれている状態を補うために磁石吸引を活用する方法に、サマリムやネオジム磁石を配列し吸引を応用することにより、分離薄利できる、＜磁石の特徴は＋−Ｎ極Ｓ極＞反発力及び吸引力の効果を得るために丸形で方向位置を変えることができる工夫を成し、その他の角形は誤差を生じるため〇形球により方向吸引特性を活かし吸引と分離利の補助をする。
【発明の効果】
【０００９】
夏季炎天下の郊外駐車時の直射日光を遮断することにより、温度上昇や車内外劣化を防止する効果があり、磁石を活用することにより、取り付け取り外しが容易であり自動巻き取り収納ができる要素を加え、取り扱いによる難度にドラム筒を軽量化のアルミ、塩化ビニ−ル、硬化プラスチック等の素材を使用し、遮断布は合成繊維素材による軽量化素材を使用することは扱いが容易で有り、且つ磁石活用により作業工程の短縮化になり、縮小化は携帯と車載、車のトランクや後部座席に収納できるので、いつでも何処でも任意に野外駐車時に使用し温度上昇防止や冬季に車窓の霜、等の凍結防止解消の効果が発揮できることや更に屋内外の窓や野外用テントとしての応用使用の複数の効果が得られる。
・  磁石吸引は日光遮断空間面積を補佐する
・  収納は盗難憂慮の解消
・  自動巻き取り収納は作業工程の短縮化
・  遮断効果は、車の車内温度上昇抑制と劣化防止をする
・  ドラムを用いて屋内窓やテントの運用化を図る
・  前記構成による特徴を成す
【図面の簡単な説明】
【００１０】
【図１】本発明の実施形態を示す日除け装置設置完成側面図
【図２】Ａ、Ｂ、ドラム内蔵網織り布平面図
【図３】Ｋクリップ平面図
【図４】ＡＢドラム側面図
【図５】ドラム分離化平面図
【図６】Ｃ  切り込み布磁石配置平面図
【図７】Ｅ−３磁石穴空き〇形球磁石配置平面図
【図８】Ｅ−４布切り込み磁石配置平面図
【図９】Ｅ−２凸凹形磁石配置ドラム芯平面図
【図１０】Ｅドラム左右磁石配置平面図
【図１１】テント、パイプ組み立て全体図側面図
【図１２】テント出入口側面図
【図１３】パイプＴ字形交差受け軸側面図
【図１４】パイプ３交差受け軸側面図
【図１５】パイプ２偏角交差平面図
【図１６】パイプ２交差受け軸平面図
【図１７】ドラム固定金具平面図
【図１８】パイプ補強固定受け軸平面図
【図１９】パイプ補強アンカ−平面図
【発明を実施するための形態】
【００１１】
本発明の実施の形態の詳細を図１より図１８に基づいて説明する。
実施例１
【００１２】
図１は車上使用日除け機器設置完成図である。
実施例２
【００１３】
機器設置は、図５に示す縮小化されたＡやＢドラム二分化を図１０Ｅ磁石薄利し図４のＧ鉄と図４のＥ−１吸引し一本のドラムとし、図１０のＥ裏面両サイドに設備した磁石を車後部に吸引固定し、図１に示すように設置し図２に示すドラム内部にロールされた網織り布Ｃをそれぞれ誘因引き出し図３によるクリップ止め固定し、普段使っている（書類留め用と同等を）使用し引き伸ばし車前部にＦフックで固定し図１のＤに示す補助支えを車上に付け空間を空け図１のように設置完成する。
実施例３
【００１４】
磁石吸引活用例１
ドラムＡやＢそれぞれ内部布巻き取り芯に連動する図９に示すＥ−２中央部は分離する真ん中の芯は、凸や凹みによる十字形状は（巻き取り固定やドラムのぐらつき）安定を目的とし、その部位に磁石を配し、磁石は、吸引や薄利が可能で有り、車上使用時や使用後の簡易さを追求したことによる。
実施例４
【００１５】
磁石分離活用例２
遮断布の分離薄利は、図２に示すＡやＢのドラム内蔵の布両サイド図６に示すＣ布中央部に（コ形切り込みを施し）図６のＥ−３に示す（球真ん中穴空き）、図７に示す〇形球の真ん中に、それぞれ芯糸により磁石を配列し、吸引や分離の補助をする磁石であり、ＡやＢ左右のドラム内蔵の布がそれぞれ単体で独立しているために車上に設置した場合は、中心部に空間が生じる故に（帯状日射、こぼれ日）を補う目的と、一枚の用途として磁石吸引を活用し、空間を補い、分離薄利は、縮小（1/2）の補助をするために磁石を活用し配置した。
実施例５
【００１６】
磁石活用例３
磁石吸引の特質は＜Ｎ極Ｓ極＋−＞一方向に吸引する性質が有り吸引を効果的に引き出すには＜磁石の方向が＞重要で有り動く回る動作を促進する為に丸形を選定し、球の真ん中に穴空を造りそれに通し糸状で連結し図６や図７に示すＥ−３磁石が＜動く、回る、＞吸引力を高めこれを活用する、＜他の角形状は布巻き取り時に誤作動を生じる＞又他の方法に一方を（鉄）の応用も可能である。
実施例６
【００１７】
磁石活用例４
図２のＡＢドラム内蔵の真ん中の左右図８Ｃに示す中心部に数センチ幅に切り込みを入れることにより、その部分が移動し吸引する、図６矢印方向に引く、スライドすることにより図６のＧよりＥ−４に磁石吸引が容易である、（強力ネオジムやサマリム粉末）磁石を散布し、他方は鉄粉を散布固定し吸引する（こぼれ日）空間を補う完全なる日除けとなり、粉末散布は、製造過程の簡素化となり安価供給が可能となる。
【００１８】
磁石活用例５
上記磁石活用に、（糸状直径数ミリ）単体糸状を布真ん中左右に配し一方を磁気粉末を散布固定し他方に鉄粉を配した吸引使用方法は、同じく製造過程の簡素化となり安価供給が可能となる。
【００１９】
ドラム布収納は、ドラム内部の布引き出し及び収納時の構成は、図２ＡやＢドラム両サイドに巻きバネを配し、ドラム内蔵の芯に連結した芯がバネを巻き引っ張ることにより其の反動により巻かれた布が巻き戻される原理である。
実施例８
【００２０】
ドラム筒長径の縮小化は、図４のドラムＡＢの真ん中設置のＧやＥ−４磁石薄利をすることにより、それぞれが分離し二分化し縮小化する。
実施例９
【００２１】
ドラム内布の寸法は、図２ドラムＡやＢは、車載幅寸法を各車種により予め限定（ドラム寸法、及び内包の布寸法限定）等は、使用者が任意にこれらを選定し使用する。
実施例１０
【００２２】
ドラム内布の素材は、車上に設置する機器ドラム内部収納図２に示すＡやＢ網織り布は、合成繊維加工の素材やメッシュその他の素材で構成する繊維であり非常に軽い特徴を成し更に撥水加工をしてあるので使用者任意により、雨や冬季の霜にも適用出来る、車上設置やテント使用時の強風による＜ばたつき＞はこれらの網目素材により緩和される。
実施例１１
【００２３】
クリップの活用は、図２に示す網織り布内包のドラムＡやＢは、それぞれが単体で構成されている為に、網織布を図３に示す補助クリップで止め固定し一緒に引き出しや、個別の引き出しや、個別に収納することもできるクリプ活用による作業行程の短縮化を図るものである。
実施例１２
【００２４】
ドラム機器の一本化は、ドラムＡＢの図４のＧをＥ−１に吸引固定することにより一本化になり、又、反対動作により縮小化する、縮小化は、携帯持ち運びに適し（別途専用ケ−ス用意）車のトランクやその他に収納容易であり盗難防止になり、屋内外の窓枠付近上に鉄板固定すると、ドラムは窓に転用でき、更に野外用テントとしての転用も図れる。
【００２５】
実施例１３
図１１は、テント設置完成（イメ−ジ）全体図である。
【００２６】
実施例１４
テント使用は、ドラム以外のテント用規格品とし、横布やパイプの長さ１ｍ未満を受け軸により、つなぎ図表、図１１より図１９に基づき、テント用設備として説明書及び限定的寸法表示を示す（車種の高さ×横幅×奥行き寸法限定、ドラム内蔵布はテント奥行きに比例する）寸法による、設備を使用者任意により、（車種によりそのテントの大きさが若干同調する）を選定できる。
【００２７】
実施例１５
テント設置例１
テント用骨組みパイプを説明書に基づき図１１、図１２、図１３図１４図１６図１７、受け軸にＭ−９固定ネジにより固定し組み立て図１１に示すように設置し完成させる。
テント設置例２
ドラムを図１１に示すＭ−８位置に設置する図１６のＭ−１０金具とＭ−９ネジで固定し設置する図１２に示すドラムＡやＢ、それぞれを、単体にて引き出し（高さによる難度）誘引が効果的であり配置し布端はＫクリップ止めし固定する。
テント設置例３
テント固定は、それぞれの交差部分に間隔をあけ、クリップ止めを行い図１１に示すように設置し完成させる。
テント設置例４
テント出入り口は図１１に示すＭ−６板状磁石吸引薄利により開閉が可能である。
テント設置例５
テント設置完成後に、天候急変、突然の雨や強風時には、テント上、中心部に（く形帯状常設）を磁石吸引し補強する又他方図１８に示すＭ−３アンカ−を打ち込み図１１に示す〇ＲＭ−５パイプに固定しテントの補強を行う。
【００２８】
車上日除けとして使用し、更にレジャ−用としてのテント転用使用素材は、（合成繊維加工メッシュ織り)風通しに適し快適な空間を得ることができる。
夏季炎天下直射日光に晒された車内外は高温により不快な経験に基づくもので有り、
夏季直視日光による車内温度上昇や、車内外劣化防止にドラム筒型による長径は、使用設置は易く、＜収納に不便利と常設設置は盗難憂慮＞の問題課題が有り、それを克服すべき手立てに視点を当て、縮小化（1/2）収納できる便利さを追求した車載用日除けであるとともに屋内外の窓に使用し野外テント転用化はより多くの利用価値が望める。
【符号の説明】
【００２９】
Ａ、Ｂ、ドラム
Ｃ網織り布
Ｅ磁石
Ｅ−１磁石
Ｅ−２凸凹十形磁石
Ｅ−３〇形球穴空き磁石
Ｅ−４帯状磁石
Ｆフック
Ｇ鉄板
Ｋクリップ
Ｍ−１Ｔ形パイプ交差受け軸
Ｍ−２Ｔ形偏差角パイプ交差受け軸
Ｍ−３偏差角受け軸
Ｍ−４パイプ継ぎ手受け軸
Ｍ−５パイプ。
Ｍ−６帯状磁石吸引出入り口
Ｍ−７パイプ補強継ぎ手
Ｍ−８ドラム固定位置
Ｍ−９固定金具ネジ
Ｍ−１０ドラム固定金具
Ｍ−１１アンカ−
【手続補正３】
【補正対象書類名】図面
【補正対象項目名】全図
【補正方法】変更
【補正の内容】
【図１】
2019059379.tif 000026
【図２】
2019059379.tif 000027
【図３】
2019059379.tif 000028
【図４】
2019059379.tif 000029
【図５】
2019059379.tif 000030
【図６】
2019059379.tif 000031
【図７】
2019059379.tif 000032
【図８】
2019059379.tif 000033
【図９】
2019059379.tif 000034
【図１０】
2019059379.tif 000035
【図１１】
2019059379.tif 000036
【図１２】
2019059379.tif 000037
【図１３】
2019059379.tif 000038
【図１４】
2019059379.tif 000039
【図１５】
2019059379.tif 000040
【図１６】
2019059379.tif 000041
【図１７】
2019059379.tif 000042
【図１８】
2019059379.tif 000043
【図１９】
2019059379.tif 000044